(57)【要約】      （修正有）【課題】周縁部に設けられた抗圧ブロックにより、資源の浪費を減らし、抗圧強度を高めることができるコップの蓋構造を提供する。【解決手段】コップの蓋構造は、コップの蓋１と、少なくとも一つの抗圧ブロック２と、開口３と、凸部４と、凹ブロック５とからなる。コップの蓋は、係合部１１と、周縁部１２と、頂面部１３とからなる。周縁部上には、少なくとも一つの抗圧ブロックが間隔をあけて配列され、抗圧ブロックは上が広く下が狭い凹壁であり、頂面部の所定の位置には開口が設けられ、開口の内側に隣接する箇所には係止部３１が設けられ、開口一端に隣接する箇所には凸部が設けられ、開口他端に隣接する箇所には凹ブロックが設けられ、凹ブロックの所定の位置には凹溝５１が設けられる。【選択図】図１
0003203298.tif 000002
【実用新案登録請求の範囲】
【請求項１】
液体を入れるコップ本体を覆うのに用いられるコップの蓋構造であって、
前記コップの蓋構造は、コップの蓋と、少なくとも一つの抗圧ブロックと、開口と、凸部と、凹ブロックとからなり、
前記コップの蓋には係合部が設けられ、前記係合部は、前記コップの蓋周囲に設けられ、前記係合部内側には周縁部が設けられ、前記周縁部上には少なくとも一つの抗圧ブロックが間隔をあけて配列され、前記抗圧ブロックは上が広く下が狭い凹壁であり、前記周縁部内側には頂面部が設けられることを特徴とするコップの蓋構造。
【請求項２】
前記頂面部の所定の位置には開口が設けられ、前記開口の内側に隣接する箇所には係止部が設けられ、前記開口一端に隣接する箇所には凸部が設けられ、前記開口他端に隣接する箇所には凹ブロックが設けられ、前記凹ブロックの所定の位置には凹溝が設けられ、前記凹溝と前記係止部は相互に契合することを特徴とする、請求項１に記載のコップの蓋構造。
【請求項３】
前記凸部は、人の唇の形と相互に契合する凸部であることを特徴とする、請求項２に記載のコップの蓋構造。
【請求項４】
前記係止部は、前記凹溝と相互に契合し、前記開口を固定するために、前記係止部は前記凹溝に相互に係合されることを特徴とする、請求項２に記載のコップの蓋構造。
【請求項５】
前記抗圧ブロックは、前記周縁部頂端から前記周縁部底端へ延伸することを特徴とする、請求項１に記載のコップの蓋構造。
【請求項６】
前記抗圧ブロックは、少なくとも一つの支持部と、支持ブロックとからなることを特徴とする、請求項５に記載のコップの蓋構造。
【考案の詳細な説明】
【技術分野】
【０００１】
本考案はコップの蓋構造に関し、特に、間隔を空けて抗圧ブロックを設けた周縁部により、資源の浪費を減少させるとともに抗圧強度を高めることができるコップの蓋構造に関する。
【背景技術】
【０００２】
日常生活において、コーヒーやお茶等の熱い飲み物は、温度が高いため、一般的に紙コップに入れた後、さらに耐熱材質の食品用プラスチック材質からなるコップの蓋によってコップ口を覆う。それにより、紙コップに入れた内容物があふれ出るのを防ぐことができるとともに、使用者が携帯するのにも便利である。また、コップの蓋には飲料部が設けられ、コップの蓋をめくることなく、その飲料部をあけることで、紙コップ内に入れた内容物を飲むことができる。
【０００３】
しかしながら、従来のコップの蓋は、耐熱材質の食品用プラスチック材質によって作られており、材料のコストをおさえるために、通常、前記コップの蓋の厚さは非常に薄く、前記コップの蓋に圧力が加えられた場合、簡単に変形し、破裂してしまうことさえある。そして、そのコップの蓋は使えなくなってしまい、新しいコップの蓋に取り換えるほかない。従って、いかにコップの蓋の抗圧強度を高めるかは、コップの蓋を作るうえで考慮しなければならないポイントの一つである。
【考案の概要】
【考案が解決しようとする課題】
【０００４】
本考案は、従来のコップの蓋が変形や破裂しやすくコップの蓋が使えなくなってしまい、新しいコップの蓋に変えないとならない等の欠点を解決するコップの蓋構造を提供することを目的とする。
【課題を解決するための手段】
【０００５】
上述の目的を達成するために、本考案は、コップの蓋と、少なくとも一つの抗圧ブロックと、開口と、凸部と、凹ブロックとからなる。前記コップの蓋には係合部が設けられ、前記係合部は前記コップの蓋周囲に設けられ、前記係合部内側には周縁部が設けられ、前記周縁部上には少なくとも一つの抗圧ブロックが間隔をあけて配列され、前記抗圧ブロックは、上が広く下が狭い凹壁であり、前記周縁部内側には頂面部が設けられ、前記頂面部の所定の位置には開口が設けられ、前記開口の内側に隣接する箇所には係止部が設けられ、前記開口一端に隣接する箇所には凸部が設けられ、前記開口他端に隣接する箇所には凹ブロックが設けられ、前記凹ブロックの所定の位置には凹溝が設けられ、前記係止部と前記凹溝は、総合に契合して係合される。
【０００６】
前記凸部は、人の唇の形と相互に契合する凸部である。
【０００７】
前記抗圧ブロックは、前記周縁部頂端から前記周縁部底端へと延伸する。
【０００８】
前記抗圧ブロックは、少なくとも一つの支持部と支持ブロックとからなる。
【図面の簡単な説明】
【０００９】
【図１】本考案の立体外観図である。
【図２】本考案の断面図である。
【図３】本考案の使用状態を示した図である。
【図４】本考案の抗圧ブロックの使用状態を示した図である。
【図５】本考案の抗圧ブロックの実施例１を示した図である。
【図６】本考案の抗圧ブロックの実施例２を示した図である。
【考案を実施するための形態】
【００１０】
図１と図２を参照する。図１は本考案の立体外観図であり、図２は断面図である。図に示すように、本考案は、主に、コップの蓋１と、少なくとも一つの抗圧ブロック２と、開口３と、凸部４と、凹ブロック５とからなる。前記コップの蓋１には、係合部１１が設けられ、前記係合部１１は、前記コップの蓋１周囲に設けられ、前記係合部１１内側には、周縁部１２が設けられ、前記周縁部１２には、前記周縁部１２上には、少なくとも一つの抗圧ブロック２が間隔を空けて配列され、前記抗圧ブロック２は上が広く下が狭い凹壁であり、前記周縁部１２内側には、頂面部１３が設けられ、前記頂面部１３の所定の位置には開口３が設けられ、前記開口３の内側に隣接する箇所には係止部３１が設けられ、前記開口３一端に隣接する箇所には凸部４が設けられ、前記開口３他端に隣接する箇所には凹ブロック５が設けられ、前記凹ブロック５の所定の位置には凹溝５１が設けられ、前記係止部３１と前記凹溝５１は相互に契合し、係合される。
【００１１】
前記凸部４は、人の唇の形と相互に契合する凸部４である。
【００１２】
前記抗圧ブロック２は、前記周縁部１２頂端から前記周縁部１２底端へと延伸する。
【００１３】
前記抗圧ブロック２は、少なくとも一つの支持部２１と支持ブロック２２とからなる。
【００１４】
図３を参照する。図３は本考案の使用状態を示した図である。図に示すように、前記係合部１１によって、前記コップの蓋１をコップ本体６に係合させることで、前記コップ本体６に入れた内容物が溢れだすのを防ぐことができる。前記係止部３１と前記凹溝５１は契合し、前記開口３をあけた時に、前記係止部３１を前記凹溝５１内に係止させることで、前記開口３を固定し、前記開口３を開いた状態を維持することができる。そして、前記凸部４と人の唇の形は契合するため、使用者は前記コップ本体６に入れた内容物を飲むことができる。
【００１５】
図４を参照する。図４は、本考案の抗圧ブロック使用状態を示した図である。図に示すように、前記周縁部１２上には、前記抗圧ブロック２が間隔をあけて配列される。前記コップの蓋１が下方に圧力を受けた時、前記抗圧ブロック２は上が広く下が狭い構造であるため、下側への圧力が、別の前記抗圧ブロック２、或は、各前記抗圧ブロック２間に設けられた凸ブロックへと外側に分散されることで、前記支持部２１と前記支持ブロック２２で前記周縁部１２を支えることができ、また前記抗圧ブロック２によって、前記コップの蓋１が変形や破裂するのを防ぐこともできる。
【００１６】
（実施例１）
図５を参照する。図５は、本考案の抗圧ブロックの実施例１を示した図である。図に示すように、前記抗圧ブロック２は矩形の凹壁であり、前記周縁部１２に設けることにより、抗圧の効果を高めることができる。
【００１７】
（実施例２）
図６を参照する。図６は本考案の抗圧ブロックの実施例２を示した図である。図に示すように、前記周縁部１２に設けられた前記抗圧ブロック２は、突出した前記支持ブロック２２及び前記支持部２１からなるとともに、前記周縁部１２に間隔を空け且つ密集して設けられるため、抗圧の効果を高めることができる。
【符号の説明】
【００１８】
１        コップの蓋
１１      係合部
１２      周縁部
１３      頂面部
２        抗圧ブロック
２１      支持部
２２      支持ブロック
３        開口
３１      係止部
４        凸部
５        凹ブロック
５１      凹溝
６        コップ本体
【図１】
0003203298.tif 000003
【図２】
0003203298.tif 000004
【図３】
0003203298.tif 000005
【図４】
0003203298.tif 000006
【図５】
0003203298.tif 000007
【図６】
0003203298.tif 000008